(57)【要約】自動薬剤調合装置のための薬剤供給キャニスタであって、キャニスタが、ハウジング、複数の薬剤ユニットを保管するための保管部、薬剤ユニットを排出するための排出部及び保管された薬剤ユニットを排出部へ供給するための供給機構を備え、保管部が、複数の薬剤ホルダを備え、薬剤ホルダのそれぞれが、他の保持された薬剤ユニットから分離された１の薬剤ユニットを保持するように配置され、供給機構が、薬剤ホルダ内の薬剤ユニットを排出部へ供給するように配置される、薬剤供給キャニスタである。
2018519119.tif 000002
【特許請求の範囲】
【請求項１】
自動薬剤調合装置のための薬剤供給キャニスタであって、
前記キャニスタが、ハウジング、複数の薬剤ユニットを保管するための保管部、前記薬剤ユニットを排出するための排出部及び保管された前記薬剤ユニットを前記排出部へ供給するための供給機構を備え、
前記保管部が、複数の薬剤ホルダを備え、前記薬剤ホルダのそれぞれが、他の保持された薬剤ユニットから分離された１の薬剤ユニットを保持するように配置され、前記供給機構が、前記薬剤ホルダ内の前記薬剤ユニットを前記排出部へ供給するように配置される、ことを特徴とする薬剤供給キャニスタ。
【請求項２】
前記薬剤ユニットを前記排出部へ供給するために、前記薬剤ホルダが、特に前記排出部に対して移動可能である請求項１に記載の薬剤供給キャニスタ。
【請求項３】
前記薬剤ホルダが、特に前記排出部に対して回転式に移動可能である請求項２に記載の薬剤供給キャニスタ。
【請求項４】
薬剤ホルダがコンパートメントを備え、各コンパートメントが１の薬剤ユニットを保持するように配置される請求項１、２又は３に記載の薬剤供給キャニスタ。
【請求項５】
前記保管部が、複数の薬剤ユニットを保持するための少なくとも１の保持面を備える請求項１〜４のいずれか１項に記載の薬剤供給キャニスタ。
【請求項６】
前記排出部が、前記保持面に開口部として形成されている請求項５に記載の薬剤供給キャニスタ。
【請求項７】
複数の可動の壁を備え、保持面及び２つの隣接する壁と場合により前記ハウジングによってコンパートメントが定義される少なくとも請求項２、４及び５に記載の薬剤供給キャニスタ。
【請求項８】
前記複数の壁が設けられた駆動可能なエンドレスベルトを備える請求項７に記載の薬剤供給キャニスタ。
【請求項９】
前記薬剤ホルダが、前記保持面の周囲をループ状に移動するように配置される少なくとも請求項３及び５に記載の薬剤供給キャニスタ。
【請求項１０】
複数の層の薬剤ユニットを保持するために複数の積層された保持面を備え、各保持面が、薬剤ユニットを前記保持面から下層へと搬送するための開口部を備え、最下端の保持面にある開口部が前記排出部を形成する請求項５〜９のいずれか１項に記載の薬剤供給キャニスタ。
【請求項１１】
２つの連続する層の開口部が、互い違いになっている少なくとも請求項２及び１０に記載の薬剤供給キャニスタ。
【請求項１２】
前記保持面のそれぞれが、前記薬剤ユニットを前記開口部へ供給するために、それぞれの開口部に対して移動可能な複数の可動式の薬剤ホルダを備える請求項１０又は１１に記載の薬剤供給キャニスタ。
【請求項１３】
前記保持面の各々において所定の方向に前記薬剤ホルダを同期して移動させるための中央駆動軸を備える請求項１２に記載の薬剤供給キャニスタ。
【請求項１４】
各層の開口部が、上側搬送表面から前記排出部にむかって前記薬剤ユニットの螺旋状の搬送経路を形成するために、前記薬剤ホルダの移動方向とは逆の方向にずれている請求項１０〜１３のいずれか１項に記載の薬剤供給キャニスタ。
【請求項１５】
前記保持面の間に配置された複数のベルトを備え、前記複数のベルトが前記駆動軸により駆動可能である少なくとも請求項８及び１３に記載の薬剤供給キャニスタ。
【請求項１６】
自動薬剤調合装置の回転可能な駆動軸を受けるための軸継手を更に備え、前記軸継手が前記複数の薬剤ホルダを伝達機構を介して動かすために駆動軸に作動可能に連結されており、前記伝達機構が、前記軸継手の回転方向に関係無く、前記駆動軸を所定の方向に回転させるように配置されている請求項１〜１５のいずれか１項に記載の薬剤供給キャニスタ。
【請求項１７】
複数の保持面と移動可能な薬剤ホルダを備える請求項１〜１６のいずれか１項に記載のキャニスタに使用するための保管部ユニット。
【請求項１８】
請求項１〜１６のいずれか１項に記載のキャニスタを備える自動薬剤調合装置。
【請求項１９】
請求項１８に記載の自動薬剤調合装置を用いて薬剤を調合する方法。
【発明の詳細な説明】
【技術分野】
【０００１】
本発明は、自動薬剤調合装置のための薬剤供給キャニスタに関し、キャニスタが、ハウジング、複数の薬剤ユニットを保管するための保管部、薬剤ユニットを排出するための排出部及び保管された薬剤ユニットを排出部へ供給するための供給機構を備えるものである。
【背景技術】
【０００２】
自動調合キャビネット（ＡＤＣ）、ユニットベースのキャビネット（ＵＢＣ）、自動調合装置（ＡＤＤ）、自動分配キャビネットまたは自動調合機械（ＡＤＭ）とも呼ばれる自動薬剤調合装置は、所定の患者の特定の処方箋に従って様々な種類の薬剤を梱包するように配置されたコンピュータ化された薬物保管および包装装置である。自動薬調合装置は、複数の、典型的には５０〜４００の薬剤供給キャニスタを備え、それぞれが異なる種類の薬剤を収容する。
【０００３】
このようなキャニスタは、典型的には、例えば丸剤、錠剤またはカプセル剤の形態を有する複数の薬剤ユニットを保管するための保管部としての容器を定義するハウジングを備える。容器の底部近傍には、薬剤ユニットを排出部、例えば、キャニスタの排出開口部に個別に供給するための供給機構が配置されている。供給装置は、典型的には、収容された薬剤ユニットに従って成形された容器（レセプタクル）を有する回転部材の形態を有する。回転部材が回転すると、容器は単一の薬剤ユニットで満たされ、回転によって排出部に搬送される。一度に単一のユニットのみが排出されることを確実にするために、単一の薬剤ユニットのみが回転部材の容器に適合することが重要である。キャニスタの排出は、排出された薬剤ユニットを調合装置内の包装機構に搬送するために、調合装置の搬送手段、例えば樋またはエンドレスベルトに連結される。
【０００４】
この供給機構は、典型的には、自動薬剤調合装置の駆動軸によって駆動され、それによりキャニスタが駆動軸の係合時に薬剤ユニットを供給できるようになっている。薬剤キャニスタには、自動薬剤調合機の駆動軸を供給機構に連結するための軸継手が設けられている。薬剤ユニットがキャニスタによって確実に供給されるようにするために、登録ユニット、例えば光学的登録ユニットが、典型的にはキャニスタの排出部の近くに設けられており、薬剤ユニットが駆動軸の回転時に排出されるかどうかを決定する。
【０００５】
回転機構の形態を有する供給機構が常に信頼できるとは限られないという問題がある。例えば、回転機構内の容器が正しく充填されておらず空であり、回転機構の回転による搬送時に薬剤ユニットが排出されない場合がある。例えば、薬剤ユニットが登録ユニットによって検知されるまで回転機構が例えば回転するという場合がある。
【０００６】
回転機構の他の問題は妨害である。容器に正しく配置されていないことによって、薬剤ユニットが回転機構の回転を妨害する可能性がある。この問題に対処するために、妨害が検出された場合に、例えば、駆動軸の測定されたトルクの増加または測定された合理的な移動の減少によって、回転機構の回転を逆転させることが知られている。よって、調合装置の駆動軸は、典型的には、２つの逆の方向に回転するように構成されている。
【０００７】
さらに、既知のキャニスタの欠点は、奇妙な形状および／または部分的な薬剤ユニット、すなわち錠剤の一部を確実に排出することが、不可能ではないにしても困難であるということである。特に、これら分割された錠剤、例えば半分に壊れた錠剤は損傷の影響を受けやすい。例えば、妨害時における容器又は回転機構においては、これらの薬剤ユニットが粉砕されることがある。
【０００８】
したがって、自動薬剤調合装置に、複数のホルダが設けられたリムーバブルトレイを装備することが知られており、各々が単一の、場合によっては異なる薬剤ユニット、例えば錠剤の一部を受け取り、排出するように配置されている。自動的に、患者固有の処方箋に従って、例えばトレイ内のホルダの底部を引き抜くことなどにより薬剤ユニットを排出すると、ホルダ上の内容物がトレイの下にある自動薬剤調合装置の収集部分に供給される。そのようなトレイの充填、および特にその後の充填のチェックは、処理される処方箋（レシピ）にしたがって特定の薬剤で各薬剤ホルダを手動で充填する必要があるため、労働集約的で時間のかかる操作である。
【発明の概要】
【発明が解決しようとする課題】
【０００９】
本発明の他の目的の中の一の目的は、上述した問題点の少なくとも１つが、少なくとも部分的に解決される改良されたキャニスタを提供することにある。
【課題を解決するための手段】
【００１０】
この目的を達成するために、前文に記載のキャニスタは、保管部が複数の薬剤ホルダを備え、薬剤ホルダの各々が１の薬剤ユニットを保持するように配置され、供給機構が１の薬剤ホルダ内の１の薬剤ユニットを排出部へ供給するように配置される。薬剤ユニットを薬剤ホルダに保持することにより、好ましくは別の保持された薬剤ユニットと分離することにより、薬剤ユニットの破片状の容器を有する従来のキャニスタにも共通するような、保管部内での相互接触による薬剤ユニットへの損傷が防止される。これにより、上述のようにリムーバブルトレイが使用されている自動薬剤調合装置において、キャニスタを使用して薬剤ユニットを供給することができる。よって、キャニスタは、自動薬剤調剤装置に挿入されるように成形され構成されている。
【００１１】
好ましくは、必要に応じて、例えば、上述のような自動薬剤調合装置、好ましくは供給機構に作動可能に接続可能な自動薬剤調合装置の駆動軸を駆動することによって、薬剤ホルダ内の薬剤ユニットが、好ましくは別の薬剤ユニットから分離されて、排出部に供給されるように、１つの種類の薬剤が、キャニスタの薬剤ホルダに保管される。
【００１２】
用語「薬剤ユニット」とは、好ましくは薬剤の単一部分、すなわち丸剤、錠剤またはカプセル剤またはそれらの一部を含む。しかしながら、本発明に係る薬剤ホルダは、ホルダが複数の丸剤、錠剤またはカプセル剤又はこれらの一部を含むことができるように、薬剤の組み合わせ、好ましくは頻繁に使用される薬剤の組み合わせを含むように使用されることも可能である。
【００１３】
薬剤ユニットを各ホルダから排出部へ搬送するために別途の供給機構を設けることも可能であるが、薬剤ユニットを排出部へ供給するために薬剤ホルダが移動可能であることが好ましい。薬剤ユニットは、それぞれの薬剤ホルダ内に搬送され、それにより薬剤ユニットへの更なる損傷が抑制される。薬剤ホルダが排出部と並ぶか又は隣接するときに薬剤ホルダに保持された薬剤を排出するための排出部に対して薬剤ホルダが移動可能となるように、薬剤ホルダが排出部に対して移動可能であることが好ましい。薬剤ユニットがすでにそれぞれの薬剤ホルダ内に収容されることにより、上述のような回転機構に関連する妨害の問題が抑制される。
【００１４】
好ましくは、薬剤ホルダは回転式に移動可能である。薬剤ホルダは、各薬剤ホルダに保持された薬剤ユニットが排出部を介して連続的に排出されるように、移動により排出部と作動可能に接触して連続的に移動する。薬剤ホルダは、例えば、複数の薬剤ホルダを備えるカルーセルまたは回転バッファーとして形成されてもよく、異なる薬剤ホルダは、各薬剤ホルダに保持された薬剤ユニットを排出するために排出部と連続的に整列する。
【００１５】
更なる好ましい実施形態によれば、薬剤ユニットに対する改善された保護が得られるものであり、薬剤ホルダがコンパートメントを備え、各コンパートメントが１の薬剤ユニットを保持するように配置されている。コンパートメントは、例えば壁のような適切な分割手段を用いて各薬剤ユニットを互いに分離するように配置されることが好ましい。
【００１６】
更に好ましい実施形態によれば、保管部は、複数の薬剤ユニットを保持するための少なくとも１の保持面を備える。薬剤ユニットを保持面上に保管することにより、従来の容器型や箱型の保管部とは異なり、例えば薬剤ユニットをお互いに距離を置いて保持することにより、各薬剤ユニットを相互に分離して保持することができる。これにより、薬剤ユニット間の相互接触による損傷が防止されるかあるいは少なくとも軽減される。
【００１７】
排出部は、保持面に開口部として形成されていることが好ましい。保持面上にある薬剤ユニットの開口部への移動が、その後、薬剤ホルダ内に保持された薬剤ユニットを排出させる。
【００１８】
保持面自体は、例えば上述のような開口部の形態で、薬剤ユニットを排出部へ搬送するための例えば搬送ベルト又はコンベヤ手段のような形態の搬送手段又は供給手段として形成されることも可能であるが、キャニスタが複数の可動の壁を備え、コンパートメントが保持面及び２つの隣接する壁の間に定義されることが好ましい。壁は、保持面が静止している間に例えば適切な駆動手段によって移動され、これにより保持された薬剤ユニットを保持面に、例えば排出部として保持面にある開口部に向けて移動させる。保持面はコンパートメントの底部又は下側の壁を定義することができる。更には、コンパートメントは、例えば保持面を囲んで包囲するハウジングの間に定義することができる。
【００１９】
好ましい実施形態によれば、キャニスタは、薬剤ホルダを駆動するために駆動可能なエンドレスベルトを備える。これにより、薬剤ホルダとの同期動作が可能になる。好ましくは、エンドレスベルトは複数の壁を備える。エンドレスベルトと２つの壁が少なくとも部分的にコンパートメントを定義し、好ましくは上述した保持面及び場合によってはハウジングとともにコンパートメントを定義するように、壁が、例えばベルトの表面から好ましくは垂直に突出している。
【００２０】
更に好ましい実施形態によれば、薬剤ホルダが、保持面の周囲をループ状に移動するように配置される。これにより、薬剤ホルダを効率的に移動させることができる。保持面は、好ましくは、実質的に楕円形または円形の搬送経路、又は少なくともコーナーの周りで薬剤ユニットのより適切な案内を確実にするために丸いコーナーを有する搬送経路を定義する。保持面は、好ましくは、前述の搬送経路に沿って、即ち周状の形状を有するように成形され、ハウジングによって区切られるか又は囲まれてもよく、ハウジングが搬送経路、即ちその外周表面を区切る。薬剤ホルダが開口部に対して保持面の周りを移動し、開口部は排出部として機能することが好ましい。
【００２１】
本発明に係るキャニスタの容量を増やすために、キャニスタの更に好ましい実施形態は、複数の層の薬剤ユニットを保持するための複数の保持面を備える。保持面は、好ましくはお互いに積層方向に配置される。キャニスタの排出部は、キャニスタの下側に延在するため、薬剤ユニットがキャニスタの下側に向けて搬送されることが好ましい。したがって、各保持面が、薬剤ユニットを保持面から下層へ、例えば下側の保持面へと搬送するための開口部を備えることが好ましい。例えば、上述したように可動の壁によって少なくとも部分的に定義された移動可能なコンパートメントを使用して、保持面の開口部に薬剤ユニットを移動させることにより、本実施形態では好ましくはコンパートメントの下壁又は底面を形成する保持面としての下層に薬剤ユニットを落下させる。したがって、更に好ましい実施形態によれば、保持面のそれぞれが、薬剤ユニットを開口部へ供給するために、それぞれの開口部に対して移動可能な複数の可動式の薬剤ホルダを備える。最下端の保持面では、開口部は、薬剤ユニットを排出するために排出部を形成するか、又は排出部と少なくとも接続されるか関連することができる。
【００２２】
更に好ましい実施形態によれば、２つの連続する層の開口部が、互い違いになっている。これにより、１の保持面からこの保持面の下に位置する保持面に薬剤ユニットを落下させることができる。したがって、薬剤ユニットは、上部（頂部）保持面から、好ましくはより下層の各保持面を経由して、好ましくは排出部を備える下部へ搬送される。上側の保持面にある開口部は、薬剤ホルダの所定の移動方向からみて保持面の開口部に対して上流側に延在することが好ましい。その後、薬剤ユニットは保持面の開口部に向かう移動方向に沿って保持面上を落下するように搬送される。
【００２３】
前述したように、薬剤ホルダが保持面で所定の方向にループ状又は回転式に移動することが好ましい。次いで、上部保持面の開口部が、好ましくは薬剤ホルダの幅に対応する距離を有して所定の方向とは逆の方向の下部保持面の開口部に延在することが好ましい。薬剤ユニットはその後保持面の開口部に隣接する保持面上に落下し、薬剤ユニットが開口部から離れる方向に移動し、最終的には薬剤ホルダのループ状又は回転式の移動によって開口部へ到達する。これにより、保持面の緩衝能が最大となる。
【００２４】
更に好ましい実施形態によれば、キャニスタが、保持面の各々において所定の方向に薬剤ホルダを同期して移動させるための中央駆動軸を備える。これにより、各保持面上の薬剤ホルダが好ましくは同期して移動するような効率的な供給機構が得られる。各層の開口部が、上側搬送表面から排出部にむかって薬剤ユニットの螺旋状の搬送経路を形成するために、薬剤ホルダの移動方向とは逆の方向にずれていることが好ましい。次いで、キャニスタが、保持面の間に配置された複数のベルトを備え、複数のベルトが駆動軸により駆動可能であることが好ましい。
【００２５】
薬剤ホルダが常に同じ方向に移動することを確実にするために、薬剤ユニットが直接的に、すなわち薬剤ホルダの一回の移動の後に、ある表面から別の表面へ落下させることを防止するために、キャニスタが駆動軸の所定の回転方向を確保するための伝達機構を備えていることが好ましい。上述したように、自動薬剤調合装置は、典型的には、妨害を防止するために２つの方向に回転する駆動軸を備えている。次いで、伝達機構は、一定の、すなわち一方向性の回転運動が薬剤ホルダに、より具体的には複数の薬剤ホルダを移動させるための駆動軸に、例えば上述のベルトを用いて与えられるようにする。より具体的には、更なる好ましい実施形態は、自動薬剤調合装置の回転可能な駆動軸を受けるための軸継手を備え、軸継手が複数の薬剤ホルダを伝達機構を介して動かすために駆動軸に作動可能に連結されており、伝達機構が、軸継手の回転方向に関係無く、駆動軸を所定の方向に回転させるように配置されている。
【００２６】
更に本発明は、保管部が、複数の保持面と移動可能な薬剤ホルダを備える、本発明に係るキャニスタに使用するための保管部に関する。
【００２７】
更に本発明は、本発明に係るキャニスタを備える自動薬剤調合装置に関する。更には、本発明に係る自動薬剤調合装置又はキャニスタを使用して薬剤を調合する方法に関する。
【００２８】
本発明は、本発明に係るキャニスタの好ましい実施形態を示す以下の図面によって更に説明されるが、本発明の技術的範囲が限定されることを意図するものではない。
【図面の簡単な説明】
【００２９】
【図１】図１は、本発明に係るキャニスタを模式的に示す図である。
【図２】図２は、キャニスタの複数部分を模式的に示す図である。
【図３】図３は、本発明に係る保管部を模式的に示す図である。
【図４】図４は、図３の保管部ユニットを分解して示す図である。
【図５】図５は、保管部ユニットの保持プレートを示す図である。
【図６】図６は、薬剤を分離して移動させるためのベルトを示す図である。
【図７】図７ａ及び図７ｂは、駆動軸の２つの位置における伝達機構を模式的に示す図である。
【発明を実施するための形態】
【００３０】
図１及び２には、本発明に係るキャニスタ１が示されている。キャニスタは、自動調合装置の駆動軸と連結するための軸継手１５（目に見えない）が設けられたベース部１１を備える。ベース部１１の下側には更に、軸継手１５の回転により薬剤を排出するための排出部として機能する開口部１６が設けられている。開口部１６は、ベース部１１の上面にある開口部１７と動作可能に接続されているか又は開口部１７連通している。キャニスタ１は、対応する形状を有する開口部１４に収容されたクリック舌片１３を用いてベース部１１に取り外し可能に接続されたハウジング１２を更に備える。
【００３１】
ハウジング１２は、好ましくは同一種類の複数の薬剤ユニットを保管するように配置された保管部ユニット２を収容している。保管部ユニット２は、各薬剤ユニットを分離して保管するように配置された複数の薬剤ホルダ２０を備え、それにより薬剤ユニットがお互いに接触しないようになっている。保管部ユニット２は、この例では、ベース部１１の開口部１７を介して、薬剤ホルダ２０に保管された薬剤ユニットを排出部１６に排出するように配置されている。
【００３２】
図３〜５は、保管部ユニット２を更に詳細に示す。保管部ユニット２は、積層配置された複数のプレート２１を備え、２枚のプレート２１がその間に薬剤を収容するために相互距離を隔てて延在している。薬剤はここではプレート２１上に置かれている。プレート２１間にはプレート２１上の薬剤を移動させるように配置されたベルト３が配置されている。
【００３３】
図６を参照すると、ベルト３には、複数の壁３２が設けられたループ状に形成されたベルト本体３１が設けられている。壁３２は、ベルト本体３１に対して実質的に直角に延在している。ベルト３が回転すると、以下に詳細に説明するように、壁３２がベルト２１上に保持された薬剤を押し出す。薬剤ホルダ２０はここでは図３に示すように、壁３２、ベルト本体３１、２枚のプレート２１及び接続状態にあるハウジング１２によってコンパートメントとして形成されている。
【００３４】
ベルト３を回転させるために、上述のように軸継手１５には、作動可能に連結された駆動軸３３が設けられている。また、駆動軸３３には、その形状に対応する非円形の形状を有する駆動軸３３を受け入れるための非円形の開口部３５ｄに設けられた複数の駆動プーリまたはスプロケット３５が設けられている。駆動スプロケット３５の外周には、ベルト本体３１の対応する形状を有する溝３１ａに受け入れられた面取り縁（ベベルエッジ）３５ａが設けられている。これにより、スプロケット３５とベルト本体３１との上下の位置合わせを確実に行うことができる。その外周には壁３２の突出部３２ｂを受け入れる上下方向の溝３５ｂが更に設けられている。これによりスプロケット３５とベルト本体３１との間のスリップが防止できる。保管部ユニット２にはプーリ又は車輪３６が設けられる支持軸３４が更に設けられており、ベルト３は、２つのプーリ３５、３６の周りに張架されている。シャフト３４は、保管部ユニット２に回転自在に取り付けられている。また、支持車輪３６には面取り縁３６ａが設けられている。各プレート２１には、シャフト３３、３４が延在する２つの孔２８（図４参照）が設けられている。また、保管部ユニット２のベース２９には、シャフト３３、３４を収容するための２つの孔が設けられている。
【００３５】
ベース２９には、ベース部１１の開口部１７と連通するための開口部２２ｄが設けられた下側プレート２１ｄが設けられている。したがって、以下においては、開口部２２ｄがキャニスタ１の排出部１６と少なくとも接続された状態で連通しているため（図１参照）、開口部２２ｄは排出部２２ｄともいう。
【００３６】
図４及び図５を具体的に参照すると、各プレート２１には、開口部２２が設けられている。上側プレート２１ａの開口部２２ａは、充填用開口部として使用され、プレート２１間の残りの開口部は薬剤を上側プレート２１ｂから下側プレート２１ｃへと搬送するために使用される。開口部２２は、図４の矢印Ｒで示されているように、移動方向Ｒから見てお互いに互い違いになっている。即ち、プレート２１間のベルト３は図４及び５に示すＡ１及びＡ２に示される方向に駆動され、下側プレート２１ｂの開口部２２ｂが上側プレート２１ａの開口部に対してコンパートメントの移動方向Ａ１とは反対方向に位置している。薬剤ユニットが天板２１ａの開口部２２ａ内に挿入されると、薬剤が突起状に見える開口部２２ａの位置に対応する位置１０１上に落下する。ユニット２は薬剤がプレート２１ｂの外周を移動して最終的に開口部２２ｂに到達するように、壁３２が、Ａ１で示される方向にのみ移動するように設計されている。これにより、薬剤が下側プレトート２１ｃ上の位置１０２に落下することになり、その位置は、上側のプレート２１ｂの開口部２２ｂの位置に対応する。次いで、軸３３の係合により薬剤を経路Ａ２に沿って移動させ、薬剤が最終プレート２１ｄ上に落ちて排出部２２ｄへ駆動されるまで、最終的には薬剤を更に下部のプレートに落下させる。この配置は、第１の位置１０１から排出部２２ｄに向かって薬剤ユニットの螺旋状又はコルクスクリュー形状の搬送経路を提供する。
【００３７】
シャフト３３が段階的に駆動されると、シャフト３３の各回転により、コンパートメント内に保持された各薬剤が、スパイラル・バッファ内の１のスポット上に移動する。これにより、薬剤が互いに接触することなく、薬剤を排出する効率的かつ制御された方法を得ることが可能になる。
【００３８】
ベルト３が常に同じ方向に駆動されることを確実にするために、軸継手１５の回転方向にかかわらず、伝達機構４０（図７ａおよび図７ｂ参照）が設けられている。この伝達機構４０は、ベース部１１に組み込まれている。機構４０は、固定された軸を有する３つのスプロケット４１，４２，４３と、ガイド４４に案内される可動スプロケット４５とを備える。軸継手１５は、スプロケット４１に結合され、駆動軸３３はスプロケット４２に結合されている。補助スプロケット４３がスプロケット４２と係合されている。スプロケット４５は、図７ａに示すようにスプロケット４１，４２と係合する位置とスプロケット４１、４３と係合する位置との間で移動可能である。ガイド４５は、ここではスプロケット４４を２つの位置の間で案内するように配置されている。
【００３９】
スプロケット４１がＲ２方向に回転すると（図７ａ）、スプロケット４５は図７ａに示す位置にとどまる。これによりスプロケット４２は方向Ｒ３に回転する。しかしながら、スプロケット４１をＲ１方向に回転させると、スプロケット４４は、ガイド４５を介して方向ｄに回転式に移動するように促され、図７ｂの位置に移動する。スプロケット４４は、ここではスプロケット４１および４３と係合している。これにより、補助スプロケット４３の使用により、スプロケット４２が方向Ｒ３に回転することになる。
【００４０】
本発明は図示の実施形態に限定されるものではなく、添付の特許請求の範囲に含まれる他の実施形態にも拡張される。
【符号の説明】
【００４１】
１…キャニスタ
２…保管部ユニット
３…ベルト
１１…ベース部
１２…ハウジング
１３…クリック舌片
１４…開口部
１５…軸継手
１６、１７…開口部
２０…薬剤ホルダ
２１…プレート
２２、２２ａ、２２ｂ…開口部
２８…孔
２９…ベース
３１…ベルト本体
３２…壁
３３…駆動軸
３４…支持軸
３５、４１、４２、４３、４４、４５…スプロケット
３６…（支持）車輪
４０…伝達機構
【図１】
2018519119.tif 000003
【図２】
2018519119.tif 000004
【図３】
2018519119.tif 000005
【図４】
2018519119.tif 000006
【図５】
2018519119.tif 000007
【図６】
2018519119.tif 000008
【図７Ａ】
2018519119.tif 000009
【図７Ｂ】
2018519119.tif 000010
【手続補正書】
【提出日】平成28年8月31日(2016.8.31)
【手続補正１】
【補正対象書類名】特許請求の範囲
【補正対象項目名】全文
【補正方法】変更
【補正の内容】
【特許請求の範囲】
【請求項１】
自動薬剤調合装置のための薬剤供給キャニスタであって、
前記キャニスタが、ハウジング、複数の薬剤ユニットを保管するための保管部、前記薬剤ユニットを排出するための排出部及び保管された前記薬剤ユニットを前記排出部へ供給するための供給機構を備え、
前記保管部が、複数の薬剤ホルダを備え、前記薬剤ホルダのそれぞれが、他の保持された薬剤ユニットから分離された１の薬剤ユニットを保持するように配置され、前記供給機構が、前記薬剤ホルダ内の前記薬剤ユニットを前記排出部へ供給するように配置され、
前記薬剤ユニットを前記排出部へ供給するために、前記薬剤ホルダが、特に前記排出部に対して移動可能であって、
前記薬剤供給キャニスタが、複数層の薬剤ユニットを保持するための複数の積層された保持面を備え、各保持面が薬剤ユニットを前記保持面から下層へ搬送するための開口部を備え、連続する２つの層の開口部が互い違いになっており、最下端の保持面にある開口部が前記排出部を形成することを特徴とする薬剤供給キャニスタ。
【請求項２】
前記薬剤ホルダが、特に前記排出部に対して回転式に移動可能である請求項１に記載の薬剤供給キャニスタ。
【請求項３】
前記薬剤ホルダが、前記保持面の周囲をループ状に移動するように配置される請求項２に記載の薬剤供給キャニスタ。
【請求項４】
薬剤ホルダがコンパートメントを備え、各コンパートメントが１の薬剤ユニットを保持するように配置される請求項１〜３のいずれか１項に記載の薬剤供給キャニスタ。
【請求項５】
複数の可動の壁を備え、保持面及び２つの隣接する壁と場合により前記ハウジングによってコンパートメントが定義される請求項１〜４のいずれか１項に記載の薬剤供給キャニスタ。
【請求項６】
前記複数の壁が設けられた駆動可能なエンドレスベルトを備える請求項５に記載の薬剤供給キャニスタ。
【請求項７】
前記保持面のそれぞれが、前記薬剤ユニットを前記開口部へ供給するために、それぞれの開口部に対して移動可能な複数の可動式の薬剤ホルダを備える請求項１〜６のいずれか１項に記載の薬剤供給キャニスタ。
【請求項８】
前記保持面の各々において所定の方向に前記薬剤ホルダを同期して移動させるための中央駆動軸を備える請求項７に記載の薬剤供給キャニスタ。
【請求項９】
前記保持面の間に配置された複数のベルトを備え、前記複数のベルトが前記駆動軸により駆動可能である請求項６〜８のいずれか１項に記載の薬剤供給キャニスタ。
【請求項１０】
各層の開口部が、上側搬送表面から前記排出部にむかって前記薬剤ユニットの螺旋状の搬送経路を形成するために、前記薬剤ホルダの移動方向とは逆の方向にずれている請求項１〜９のいずれか１項に記載の薬剤供給キャニスタ。
【請求項１１】
自動薬剤調合装置の回転可能な駆動軸を受けるための軸継手を更に備え、前記軸継手が前記複数の薬剤ホルダを伝達機構を介して動かすために駆動軸に作動可能に連結されており、前記伝達機構が、前記軸継手の回転方向に関係無く、前記駆動軸を所定の方向に回転させるように配置されている請求項１〜１０のいずれか１項に記載の薬剤供給キャニスタ。
【請求項１２】
複数の保持面と移動可能な薬剤ホルダを備える請求項１〜１１のいずれか１項に記載のキャニスタに使用するための保管部ユニット。
【請求項１３】
請求項１〜１２のいずれか１項に記載のキャニスタを備える自動薬剤調合装置。
【請求項１４】
請求項１３に記載の自動薬剤調合装置を用いて薬剤を調合する方法。
【国際調査報告】
2018519119.tif 000011
2018519119.tif 000012
2018519119.tif 000013